(57)【特許請求の範囲】
【請求項１】
左右縦材の間に横材を渡して形成された内部枠体と、この内部枠体の両面に取り付けられた本体パネルと、前記内部枠体の上端に昇降可能に設けられた調整ユニットと、前記内部枠体の下端に取り付けた下端ベース部材に弾性体を介して取り付けられた床面当接板部材を備え、
前記調整ユニットは、前記本体パネルの内面に沿うように設けられた自在パネルと、この自在パネルの間に渡した連結板部材と、この連結板部材の上端に弾性体を介して取り付けられた天井面当接板部材と、前記内部枠体の上端に取り付けた上端ベース部材と前記連結板部材との間に設けたジャッキを備え、
前記床面当接板部材は、その下面が本体パネルの下端よりも突出するように取り付けられ、
前記天井面当接板部材は、その上面が自在パネルの上端よりも突出するように取り付けられ、
前記ジャッキにより調整ユニットを持ち上げて、前記床面当接板部材及び天井面当接板部材を床面及び天井面に当接させた状態で、前記本体パネルの上端と天井面との隙を前記自在パネルによって塞ぐように形成したことを特徴とする内装用間仕切パネル。
【請求項２】
請求項１記載の内装用間仕切パネルにおいて、前記天井面当接板部材は、その中心部一ヶ所において前記連結板部材に傾動自在に支持され、前記床面当接板部材は、その中心部一ヶ所において前記下端ベース部材に傾動自在に支持されている内装用間仕切パネル。
【請求項３】
請求項１又は２記載の内装用間仕切パネルにおいて、前記内部枠体の左右縦材の間に、手摺を後付けにより取り付けるための手摺用補強横材が渡されている内装用間仕切パネル。
【請求項４】
請求項１〜３のいずれかに記載の内装用間仕切パネルにおいて、前記内部枠体の一方の縦材にパネル継ぎ用の突出部材が突設され、他方の縦材には前記突出部材と一致した位置にパネル継ぎ用の嵌合凹部が形成され、内装用間仕切パネルを隣り同士で連結する際に、一方の内装用間仕切パネルに形成した前記突出部材を他方の内装用間仕切パネルに形成した前記嵌合凹部に嵌合させるように形成されている内装用間仕切パネル。
【発明の詳細な説明】
【０００１】
【発明の属する技術分野】
本発明は、建築物の内装用壁部材として用いられる内装用間仕切パネルに関する。
【０００２】
【従来の技術】
従来、建築物の内装用仕切材としては、いわゆるパーテーションが一般に知られている。
このパーテーションは、施工済みの既存室内（新築、既築を問わない）を仕切り板材によって後施工で仕切るために用いられるものであるが、仕切り板材は、床面から天井面までを完全に塞ぐ壁構造にはなっていない。
従って、上下調節手段としても、仕切り板材の下端面又は上下両端面にアジャストボルトを設ければ足りるもので、このアジャストボルトによって仕切り板材の傾きを解消するようになっている。
【０００３】
【発明が解決しようとする課題】
上記のように、従来のパーテーションは、仕切り板材が床面から天井面までを完全に塞ぐ壁構造ではないため、室内を完全に区画することができない。
施工済みの既存室内を、床面から天井面までを完全に塞ぐ状態に後施工で仕切るためには、壁構造自体を上下調節するための上下調節構造、床面及び天井面との密着構造、傾き調整構造等が必要になる。
【０００４】
本発明は、上記した上下調節構造、密着構造、傾き調整構造を備え、施工済みの既存室内を、床面から天井面までを完全に塞ぐ状態に後施工で仕切ることができようにした内装用間仕切パネルを提供することを課題としている。
【０００５】
【課題を解決するための手段】
上記の課題を解決するために、本発明の内装用間仕切パネル（請求項１）は、
左右縦材の間に横材を渡して形成された内部枠体と、この内部枠体の両面に取り付けられた本体パネルと、前記内部枠体の上端に昇降可能に設けられた調整ユニットと、前記内部枠体の下端に取り付けた下端ベース部材に弾性体を介して取り付けられた床面当接板部材を備え、
前記調整ユニットは、前記本体パネルの内面に沿うように設けられた自在パネルと、この自在パネルの間に渡した連結板部材と、この連結板部材の上端に弾性体を介して取り付けられた天井面当接板部材と、前記内部枠体の上端に取り付けた上端ベース部材と前記連結板部材との間に設けたジャッキを備え、
前記床面当接板部材は、その下面が本体パネルの下端よりも突出するように取り付けられ、
前記天井面当接板部材は、その上面が自在パネルの上端よりも突出するように取り付けられ、
前記ジャッキにより調整ユニットを持ち上げて、前記床面当接板部材及び天井面当接板部材を床面及び天井面に当接させた状態で、前記本体パネルの上端と天井面との隙を前記自在パネルによって塞ぐように形成した。
【０００６】
本発明の内装用間仕切パネル（請求項１）において、前記天井面当接板部材は、その中心部一ヶ所において前記連結板部材に傾動自在に支持され、前記床面当接板部材は、その中心部一ヶ所において前記下端ベース部材に傾動自在に支持されている態様（請求項２）がある。
【０００７】
本発明の内装用間仕切パネル（請求項１又は２）において、前記内部枠体の左右縦材の間に、手摺を後付けにより取り付けるための手摺用補強横材が渡されている態様（請求項３）がある。
【０００８】
本発明の内装用間仕切パネル（請求項１又は２又は３）において、前記内部枠体の一方の縦材にパネル継ぎ用の突出部材が突設され、他方の縦材には前記突出部材と一致した位置にパネル継ぎ用の嵌合凹部が形成され、内装用間仕切パネルを隣り同士で連結する際に、一方の内装用間仕切パネルに形成した前記突出部材を他方の内装用間仕切パネルに形成した前記嵌合凹部に嵌合させるように形成されている態様（請求項３）がある。
【０００９】
【発明の実施の形態】
以下、本発明の実施の形態を図面に示す実施例により詳述する。ただし、本発明の具体的な構成はこの実施の形態に限定されるものではない。
図１は本発明の１実施例である内装用間仕切パネルの切欠正面図、図２は内装用間仕切パネルの縦断面図である。
【００１０】
図において、１は内部枠体で、木材（角材）による左右縦材１０，１０の間に、木材（角材）による複数の横材１１を渡して形成されている。
また、前記内部枠体１には、手摺を後付けにより取り付けるための手摺用補強横材１２が、横材１１ａの上に取り付けられる状態で左右縦材１０，１０の間に渡されている。この手摺用補強横材１２は、チャンネル型材が用いられている。
また、前記内部枠体１における一方の縦材１０の上下位置にパネル継ぎ用の突出部材となるパイプ材２１，２１が突設され、他方の縦材１０の上下位置には前記パイプ材２１，２１と一致した位置にパネル継ぎ用の嵌合凹部となる嵌合穴２２，２２が形成されている。この嵌合穴２２は、縦材１０に形成した穴にパイプ材を嵌め込むことで形成されている。
【００１１】
上記のように形成された内部枠体１の両面には化粧壁材となる本体パネル３，３が取り付けられている。この本体パネル３としては、ベニヤ板の表面に予めクロス貼りしたものを用いているが、クロス貼りは施工後に行なうようにしてもよい。
【００１２】
前記内部枠体１の上端には、調整ユニット４が昇降可能に設けられている。
この調整ユニット４は、前記本体パネル３，３の内面に沿うように設けられた自在パネル４０，４０と、この自在パネル４０，４０の間に渡した連結板部材４１と、この連結板部材４１の上面に弾性体としてのゴム材４２を介して取り付けられた天井面当接板部材４３と、前記内部枠体１の上端に取り付けた上端ベース部材４６と前記連結板部材４１との間に設けたジャッキ５を備えている。
【００１３】
前記天井面当接板部材４３は、基板４３ａの上面に当りゴム４３ｂが取り付けられ、この当りゴム４３ｂの上面が自在パネル４０の上端よりも突出するように取り付けられると共に、上端が自在パネル４０の上端よりも突出するように基板４３ａの上面４ヵ所に固定用針４３ｃが突設されている。
【００１４】
又、前記連結板部材４１の上面に上端面を半球面に形成した突起部材４４が突設され、この突起部材４４に回転可能に嵌合する半球状凹部４５が前記天井面当接板部材４３における基板４３ａの下面中心部一ヶ所に形成されている。
従って、前記天井面当接板部材４３は、その中心部一ヶ所、即ち、前記突起部材４４に回転可能に嵌合した半球状凹部４５において傾動自在に支持されたものになっている。
【００１５】
前記ジャッキ５は、前記上端ベース部材４６の上面に取り付ける下側ブラケット５０と前記連結板部材４１の下面に取り付ける上側ブラケット５１を有し、上下のリンクを中央連結部５２ａで連結した屈折リンク５２，５２を向かい合わせにした状態で前記下側ブラケット５０と上側ブラケット５１の間に一対に配置し、この一対の屈折リンク５２，５２における中央連結部同士を連結棒５３，５３により連結すると共に、両連結棒５３，５３の間にネジ軸５４を渡し、このネジ軸５４の端面にドライバ用溝５５を形成したパンタグラフ機構に形成されている。
従って、ドライバ用溝５５に回転用工具としてのドライバを嵌め込んでネジ軸５４を一方に回転させると、連結棒５３，５３の間隔が縮小することに伴ない屈折リンク５２，５２の屈折角度が開いて、上側ブラケット５１を上方に移動させることから調整ユニット４を上方に持ち上げることができる。
【００１６】
前記内部枠体１の下端には床面当接板部材６が取り付けられている。
この床面当接板部材６は、基板６０の下面に当りゴム６１が取り付けられ、この当りゴム６１の下面が本体パネル３の下端よりも突出するように取り付けられている。
【００１７】
前記床面当接板部材６は、内部枠体１の下端に取り付けた下端ベース部材６２に弾性体としてのゴム材６３を介して取り付けられ、そして、前記下端ベース部材６２の下面に下端面を半球面に形成した突起部材６４が突設され、この突起部材６４に回転可能に嵌合する半球状凹部６５が前記床面当接板部材６における基板６０の上面中心部一ヶ所に形成されている。
従って、前記床面当接板部材６は、その中心部一ヶ所、即ち、前記突起部材６４に回転可能に嵌合した半球状凹部６５において傾動自在に支持されたものになっている。
【００１８】
本実施例の内装用間仕切パネルＡを施工するには、内装用間仕切パネルＡの高さが、施工する室内の床面Ｆから天井面Ｔまでの高さよりも低くなるように、前記ジャッキ５により調整ユニット４を下げておく。なお、製造段階では、調整ユニット４は、自在パネル４０の上端が本体パネル３の上端よりも低くなるようにセットしているため、あえて調整ユニット４を下げる操作を行なう必要はない。
次に、床面当接板部材６を床面Ｆ上の所定の施工位置に置いて内装用間仕切パネルＡを立て、この状態で、前記ジャッキ５により調整ユニット４を上昇させて、天井面当接板部材４３を天井面Ｔに当接させて、内装用間仕切パネルＡを床面Ｆと天井面Ｔとの間に突っ張る状態で設置する。
【００１９】
このとき、前記ジャッキ５により調整ユニット４を上昇させるため、本体パネル３と天井面Ｔとの隙Ｓを自在パネル４０によって塞ぐことができるため、この内装用間仕切パネルＡによって、施工済みの既存室内を、床面Ｆから天井面Ｔまでを完全に塞ぐ状態に後施工で仕切ることができる。
【００２０】
また、床面当接板部材６及び天井面当接板部材４３は、当りゴム６１，４３ｂによって床面Ｆ及び天井面Ｔに当接するため、床面Ｆ及び天井面Ｔとの滑りを防止した密着状態に施工できる。
【００２１】
又、床面Ｆと天井面Ｔとの平行が正確でないような場合、内装用間仕切パネルＡが傾斜状態に取り付けられることが懸念されるが、この内装用間仕切パネルＡでは、床面当接板部材６及び天井面当接板部材４３が弾性体としてのゴム材６３，４２を介して取り付けられているため、このゴム材６３，４２によって傾斜を吸収して、内装用間仕切パネルＡを鉛直に取り付けることができる。
特に、本実施例のように、床面当接板部材６及び天井面当接板部材４３を、その中心部一ヶ所において傾動自在に支持したものでは、床面当接板部材６及び天井面当接板部材４３をその中心部を中心として全方向に自在に傾斜させることができるため、どの方向の傾斜にも対応しながら、その傾斜を吸収して内装用間仕切パネルＡを鉛直に取り付けることができる。
【００２２】
また、前記弾性体としてのゴム材６３，４２は、その弾性によって床面当接板部材６を下向きに付勢し、天井面当接板部材４３を上向きに付勢するため、床面当接板部材６及び天井面当接板部材４３を床面Ｆ及び天井面Ｔに密着させる作用も有している。
【００２３】
上述のようにして１枚の内装用間仕切パネルＡを施工した後は、その内装用間仕切パネルＡに次の内装用間仕切パネルＡを継いでいくもので、この場合、隣り合う内装用間仕切パネルＡ，Ａ間において、一方の内装用間仕切パネルＡのパイプ材２１に他方の内装用間仕切パネルＡ嵌合穴２２に嵌合することで、位置合わせ作業を簡単にしながら両内装用間仕切パネルＡ，Ａ同士を側端面同士で突き合わせた状態に連結することができる。
【００２４】
また、内装用間仕切パネルＡを施工した後、必要に応じて手摺を設けるような場合、内部枠体１には、手摺を後付けにより取り付けるための手摺用補強横材１２が設けられているため、この手摺用補強横材１２上に手摺を取り付けるようにすれば、十分な取付強度が得られ、手摺を確実強固に取り付けることができる。
【００２５】
なお、本実施例の内装用間仕切パネルのサイズについては、一般住宅の室内サイズに照らして、横幅３００〜５００ｍｍ、厚さ１３５ｍｍ、本体パネルの高さ２３００ｍｍ、調整ユニットの上昇ストローク１００ｍｍ程度としたが、これに限定されないのは勿論である。
また、防音効果、断熱効果を得るために、内部にグラスウールや発泡プラスチック材等を充填することができる。
【００２６】
【発明の効果】
以上説明してきたように、本発明の内装用間仕切パネル（請求項１）にあっては、ジャッキにより持ち上げることができる調整ユニットを設けているため、施工済みの既存室内を、床面から天井面までを完全に塞ぐ状態に後施工で仕切ることができる。
また、床面当接板部材及び天井面当接板部材を弾性体としてのゴム材を介して取り付けているため、このゴム材によって傾斜を吸収して、内装用間仕切パネルを鉛直に取り付けることができるし、ゴム材によって床面当接板部材及び天井面当接板部材を床面及び天井面に密着させることができる。
【００２７】
本発明の内装用間仕切パネル（請求項２）にあっては、床面当接板部材及び天井面当接板部材を、その中心部一ヶ所において傾動自在に支持したので、床面当接板部材及び天井面当接板部材をその中心部を中心として全方向に自在に傾斜させることができ、どの方向の傾斜にも対応しながら、その傾斜を吸収して内装用間仕切パネルを鉛直に取り付けることができる。
【００２８】
本発明の内装用間仕切パネル（請求項３）にあっては、手摺用補強横材を設けているため、手摺を確実強固に取り付けることができる。
【００２９】
本発明の内装用間仕切パネル（請求項４）にあっては、内装用間仕切パネルを継いでいく際に、パイプ材を嵌合穴に嵌合するだけで、位置合わせ作業を簡単にしながら両内装用間仕切パネル同士を側端面同士で突き合わせた状態に連結することができる。
【図面の簡単な説明】
【図１】本発明の１実施例である内装用間仕切パネルの切欠正面図である。
【図２】内装用間仕切パネルの縦断面図である。
【符号の説明】
１  内部枠体
１０  縦材
１１  横材
１１ａ  横材
１２  手摺用補強横材
２１  パイプ材（突出部材）
２２  嵌合穴（嵌合凹部）
３  本体パネル
４  調整ユニット
４０  自在パネル
４１  連結板部材
４２  ゴム材（弾性体）
４３  天井面当接板部材
４３ａ  基板
４３ｂ  当りゴム
４３ｃ  固定用針
４４  突起部材
４５  半球状凹部
４６  上端ベース部材
５  ジャッキ
５０  下側ブラケット
５１  上側ブラケット
５２  屈折リンク
５２ａ  中央連結部
５３  連結棒
５４  ネジ軸
５５  ドライバ用溝
６  床面当接板部材
６０  基板
６１  当りゴム
６２  下端ベース部材
６３  ゴム材（弾性体）
６４  突起部材
６５  半球状凹部
Ａ  内装用間仕切パネル
Ｆ  床面
Ｓ  隙
Ｔ  天井面
【図１】
0003998505.tif 000002
【図２】
0003998505.tif 000003